(57)【要約】【課題】使用者が所望の操作を容易に行うことができる表面構成部材を提供する。【解決手段】物品の表面を構成する表層２０と、表層２０の表面での操作を検出するセンサ９と、操作により発光可能な発光部５０と、センサ９の検出に応じて、発光部５０の発光を制御する制御部と、を備えた天板２であって、センサ９は、電極２１によって使用者の操作を検出し、電極２１には、使用者の操作を案内する案内表示部４０に合わせた透光部６０と非透光部６１とが設けられ、透光部６０は、発光部５０の発光を透過させることにより、表面に案内光を表示する。【選択図】図３
2019160431.tif 000002
【特許請求の範囲】
【請求項１】
物品の表面を構成する表面部材と、
前記表面部材の表面での操作を検出するセンサと、
前記操作により発光可能な発光部と、
前記センサの検出に応じて、前記発光部の発光を制御する制御部と、を備えた表面構成部材であって、
前記センサは、電極によって使用者の操作を検出し、
前記電極には、使用者の操作を案内する案内表示部に合わせた透光部と非透光部とが設けられ、
前記透光部は、前記発光部の発光を透過させることにより、前記表面に案内光を表示することを特徴とする表面構成部材。
【請求項２】
前記表面部材の裏面に配置された基材を備え、
前記基材には、該基材を厚み方向に貫く貫通孔が形成され、
前記発光部は、前記貫通孔内に配置されていることを特徴とする請求項１に記載の表面構成部材。
【請求項３】
前記電極が設けられたセンサシートを備え、
前記センサシートは、前記表面部材と前記基材との間に配置されていることを特徴とする請求項２に記載の表面構成部材。
【発明の詳細な説明】
【技術分野】
【０００１】
本発明は、表面構成部材に関する。
【背景技術】
【０００２】
従来、天板と、天板（表面構成部材）を支持する支持体と、を備えた天板付什器が知られている。
このような天板付什器として、例えば、昇降機能を備えた天板付什器が知られている。
天板を昇降させる技術として、たとえば、ガススプリングを用いる方法やギアを用いる方法（特許文献１，２）などが知られている。
特許文献１，２に開示された技術は、構造が簡易であるのでコストを安く抑えることができる。しかしながら、特許文献１，２に開示された技術では、力の弱い使用者にとっては操作しにくい場合があったり、天板の高さによっては天板を昇降させるために無理な姿勢を強いたりすることがある。
また、天板付什器が備えるワイヤーを操作部により操作して、ガススプリングのストッパ等をロック又は解除し、天板を昇降動作させる技術が知られている（特許文献３，４，５）。
また、天板を昇降させる際の操作性を向上させるために、電動式の駆動ユニットを用いて天板を昇降させる技術が知られている（特許文献６）。特許文献３，４，５，６に開示された技術では、天板近傍に配される操作部やスイッチ（以下、操作部等という）を用いて使用者が天板の昇降操作をすることができる。
【先行技術文献】
【特許文献】
【０００３】
【特許文献１】特許第３３７１９５９号公報
【特許文献２】特許第３３９１２８５号公報
【特許文献３】実用新案登録第３１６４７３９号公報
【特許文献４】特開２０１４−１１３５０５号公報
【特許文献５】特許第５７１８５０３号公報
【特許文献６】特開２０１６−８６９０９号公報
【発明の概要】
【発明が解決しようとする課題】
【０００４】
しかしながら、特許文献３，４，５，６に開示された技術は、操作部等を操作して天板を昇降させるようになっている。このため、例えば大型の天板に操作部等が配置されている場合には、天板を昇降させる使用者が操作部等に届く位置まで移動して操作する必要があるので、操作に手間がかかる。
【０００５】
本発明は、上述した事情に鑑みてなされたものであって、使用者が所望の操作を容易に行うことができる表面構成部材を提供することを目的とする。
【課題を解決するための手段】
【０００６】
本発明の一態様は、物品の表面を構成する表面部材と、前記表面部材の表面での操作を検出するセンサと、前記操作により発光可能な発光部と、前記センサの検出に応じて、前記発光部の発光を制御する制御部と、を備えた表面構成部材であって、前記センサは、電極によって使用者の操作を検出し、前記電極には、使用者の操作を案内する案内表示部に合わせた透光部と非透光部とが設けられ、前記透光部は、前記発光部の発光を透過させることにより、前記表面に案内光を表示する表面構成部材である。
【０００７】
このように構成された表面構成部材では、使用者の操作を検出する電極が、使用者の操作を案内する案内表示部に合わせた透光部と非透光部とを備えている。そして、透光部が、発光部の発光を透過させることにより、表面に案内光を表示するので、このように表示された案内光に従って、使用者が操作を行うことが可能になり、使用者が所望の操作を容易に行うことができる。
【０００８】
また、本発明に係る表面構成部材では、前記表面部材の裏面に配置された基材を備え、前記基材には、該基材を厚み方向に貫く貫通孔が形成され、前記発光部は、前記貫通孔内に配置されてもよい。
このように構成された表面構成部材では、表面部材の裏面に基材が配置されているので、基材により表面部材を支持することができる。また、基材に形成された貫通孔内に発光部が配置されているので、簡易な構成で発光部を表面部材の裏側に配置することができる。
【０００９】
また、本発明に係る表面構成部材では、前記電極が設けられたセンサシートを備え、前記センサシートは、前記表面部材と前記基材との間に配置されてもよい。
このように構成された表面構成部材では、電極がセンサシートに設けられているので、センサシートを交換することで、容易に電極の位置や大きさを変更することができる。
【発明の効果】
【００１０】
本発明に係る表面構成部材によれば、使用者が所望の操作を容易に行うことができる。
【図面の簡単な説明】
【００１１】
【図１】本発明の第１実施形態に係る天板（表面構成部材）を備えた天板付什器の斜視図である。
【図２】図１に示す天板付什器における（ａ）上面図、（ｂ）正面図、（ｃ）側面図、（ｄ）下面図である。
【図３】図１に示す天板の一部における分解斜視図である。
【図４】図１に示す天板の（ａ）一部平面図、（ｂ）Ａ−Ａ線矢視断面図である。
【図５】図４に示す案内表示部による表示態様のうち、（ａ）操作開始時、（ｂ）操作選択時、（ｃ）昇降操作時、（ｄ）下降操作時を示す図である。
【図６】（ａ）図４に示す電極の案内表示部、（ｂ）〜（ｋ）案内表示部の第１変形例群を列挙する図である。
【図７】図６に示す案内表示部の第２変形例群を示す図である。
【図８】図４（ａ）に示す電極における他の配置状態を示す図である。
【図９】図６に示す案内表示部の他の配置状態を示す図である。
【図１０】図７に示す案内表示部の他の配置状態を示す図である。
【図１１】図１に示す天板付什器において、電極の位置を例示する図である。
【図１２】図１に示す天板付什器において、電極を複数設けた状態を示す図である。
【図１３】図１に示す天板付什器において、電極の姿勢を変更した状態を示す図である。
【図１４】図１に示す天板付什器において、電極の変形例を示す図である。
【図１５】本発明の第２実施形態に係る天板の一部における分解斜視図である。
【図１６】図１５に示す天板の（ａ）一部平面図、（ｂ）Ｂ−Ｂ線矢視断面図である。
【図１７】本発明の第３実施形態に係る天板の一部における分解斜視図である。
【図１８】図１７に示す天板の（ａ）一部平面図、（ｂ）Ｃ−Ｃ線矢視断面図である。
【図１９】本発明の第４実施形態に係る天板の一部における分解斜視図である。
【図２０】図１９に示す天板の（ａ）一部平面図、（ｂ）Ｄ−Ｄ線矢視断面図である。
【図２１】図１１に示す天板付什器における（ａ）上面図、（ｂ）正面図、（ｃ）側面図、（ｄ）下面図である。
【発明を実施するための形態】
【００１２】
（第１実施形態）
本発明の第１実施形態について、図１から図１４を参照して説明する。まず、図１および図２を参照し、本実施形態に係る天板（表面構成部材）２を備えた天板付什器１（物品）の概略構成を説明する。図１は、天板付什器１の斜視図である。図２は、天板付什器１における（ａ）側面図、（ｂ）正面図である。
以下の説明において、天板付什器１の使用者から見た前後方向を天板付什器１の前後方向Ｘ、使用者から見た左右方向を天板付什器１の左右方向Ｙという。また、使用者から見た上下方向を天板付什器１の上下方向Ｚという。
【００１３】
図１に示すように、本実施形態に係る天板付什器１は、天板２、および天板２を支持する支持体５を含むデスク本体１Ａを備えている。天板２は上面視で矩形状をなし、上面３と下面４とを有する。
支持体５は、梁部６と、軸部７と、脚部８と、昇降駆動部１０と、を有している。梁部６は、天板２の前後方向Ｘに延びている。梁部６は、天板２の左右端に１つずつ配されている。
【００１４】
軸部７は、梁部６を介して天板２に接続されている。軸部７は、天板２の下面４から垂直に下方へ延びている。
脚部８は、床面に接触して天板付什器１を支持するとともに、昇降駆動部１０を介して軸部７に連結されている。本実施形態では、脚部８は、床面と平行に延びる水平部８ａと、軸部７と同軸をなして垂直に延びる第一筒部８ｂ及び第二筒部８ｃと、を有している。
【００１５】
昇降駆動部１０は、軸部７、第一筒部８ｂ、および第二筒部８ｃが延びる上下方向Ｚに沿って、これらを相対移動させるためのモータとギア（不図示）を有している。昇降駆動部１０は、後述する制御部１５に電気的に接続されている。昇降駆動部１０が動作することによって、支持体５が上下方向Ｚに伸縮し、天板２が昇降する。すなわち、昇降駆動部１０および制御部１５が、後述する電極２１における検出結果に基づいて、天板２を昇降させる昇降機構を構成している。
【００１６】
次に、図３および図４を参照し、天板２について詳述する。図３は、天板２の一部における分解斜視図である。図４は、天板２の（ａ）一部平面図、（ｂ）Ａ−Ａ線矢視断面図である。
天板２は、表面を構成する表層（表面部材）２０と、表層２０を支持する基層２２と、表層２０の表面での操作を検出するセンサ９と、操作により発光可能な発光部５０と、センサの検出に応じて、発光部５０の発光を制御する制御部１５と、を備えている。
表層２０および基層２２は上面視で矩形状をなし、互いに同等の形状、大きさをなしている。
【００１７】
表層２０は、表面を構成する表面シート２０Ａと、複数のコアシート２０Ｂと、を積層状態で一体化することにより形成されている。図示の例では、表層２０は、表面シート２０Ａの下方に３枚のコアシート２０Ｂが上下方向Ｚに積層された状態で、一体化されている。
表面シート２０Ａの上面視における形状および大きさは、コアシート２０Ｂと同等となっている。なお、コアシート２０Ｂの枚数は任意に変更することができる。
【００１８】
表面シート２０Ａの上方を向く表面には、木目等の意匠性を備えた模様が施されている。表面シート２０Ａには、例えばメラミン化粧板を採用することができる。コアシート２０Ｂとしては、例えばクラフト紙を採用することができる。
【００１９】
センサ９は、使用者の操作を検出する電極２１が設けられたセンサシート２３により構成されている。センサシート２３は、上面視で基材２２Ａと同等の形状、および大きさをなしている。
センサシート２３は、表層２０と、基層２２における後述する基材２２Ａと、の間に配置されている。
【００２０】
表層２０とセンサシート２３との間、およびセンサシート２３と基材２２Ａとの間にはそれぞれ、接着剤（図示せず）が介在している。接着剤により、表層２０、センサシート２３および基層２２が固着されている。
なお、このような態様に限られず、例えばセンサシート２３が、表層２０と積層状態で一体化されていてもよい。センサシート２３を表層２０と積層状態で一体に形成することで、天板２の組立工数を削減することができる。
【００２１】
センサシート２３は、例えば紙材料等により形成されている。センサシート２３の少なくとも一部に、電極２１が形成されている。本実施形態では、電極２１は、例えばナノ銀インク等の導電性材料がセンサシート２３にプリントされることで形成されている。
なお、電極２１は板状やフィルム状に形成され、センサシート２３に接着剤等により貼付されてもよい。
【００２２】
基層２２は、剛性を有する基材２２Ａと、基材２２Ａの下方に位置する裏面材２２Ｂと、を備えている。基材２２Ａは、例えば非金属材料等により形成されている。裏面材２２Ｂは上面視で基材２２Ａと同等の形状、大きさをなしている。なお、裏面材２２Ｂは設けられなくてもよい。
【００２３】
基層２２には、この基層２２を上下方向（厚み方向）Ｚに貫く貫通孔２２Ｃが形成されている。貫通孔２２Ｃは、基材２２Ａとともに裏面材２２Ｂを貫いている。
図示の例では、前後方向Ｘおよび左右方向Ｙにおける一方側の端部に、左右方向Ｙに列をなすように、複数の貫通孔２２Ｃが配置されている。貫通孔２２Ｃは上面視で円形状を呈する。なお、貫通孔２２Ｃの位置、数量、および形状は任意に変更することができる。
【００２４】
電極２１は、センサシート２３の裏面に配置され、表層２０を介して天板２の上面３での操作を検出可能となっている。複数の電極２１は、表層２０と基材２２Ａとの間に、前後方向Ｘおよび左右方向Ｙにおける一方側の端部に、左右方向Ｙに列をなしている。
複数の電極２１は、複数の貫通孔２２Ｃと対応する位置に配置されている。
【００２５】
電極２１は、少なくとも一部が貫通孔２２Ｃに臨むように配置されている。
図示の例では、電極２１は上面視で正方形状を呈し、電極２１の全体が貫通孔２２Ｃの内側に位置している。複数の電極２１は、互いに同等の形状、および大きさをなしている。図示の例では、電極２１は３つ配置されている。なお、電極２１の位置、数量、および形状は任意に変更することができる。
【００２６】
また本実施形態では、天板２は、貫通孔２２Ｃ内に配置され、電極２１に電気的に接続された電極接続部３０を有している。電極接続部３０は、基層２２に固定されたセンサ基部３１と、センサ基部３１に取り付けられたセンサ基板３２と、電極２１に接触し、センサ基板３２と電極２１とを電気的に接続する接点部３３と、を備えている。
【００２７】
センサ基部３１は、円柱状をなしている。センサ基部３１の下端部には、径方向の外側に向けて突出するフランジ部３１Ａが形成されている。センサ基部３１は貫通孔２２Ｃ内に下方から挿入されている。センサ基部３１のフランジ部３１Ａが、裏面材２２Ｂにおける下方を向く下面に固定されている。
【００２８】
センサ基板３２には、電極２１に対して行った操作による静電容量の変化に基づいて、操作内容を認識するタッチセンサが採用されている。接点部３３は、センサ基板３２の上面と、電極２１の下面と、の間に配置されている。接点部３３は、各センサ基板３２の上面に、左右方向Ｙに間隔をあけて一対配置されている。
【００２９】
接点部３３には、上下方向Ｚに付勢されたバネ部材が採用されている。図示の例では、バネ部材は板バネである。このため、センサ基板３２と電極２１との間の寸法がばらつく場合であっても、確実にセンサ基板３２と電極２１とを電気的に接続することができる。また、センサ基板３２は、制御部１５と電気的に接続されている。
【００３０】
発光部５０には、ＬＥＤが採用されている。発光部５０は、基材２２Ａの貫通孔２２Ｃ内に配置されている。
発光部５０は、センサ基板３２の上面のうち、一対の接点部３３における左右方向Ｙの間に位置する部分に配置されている。発光部５０はセンサ基板３２の上面に複数ずつ配置されている。
【００３１】
ここで、電極２１には、使用者の操作を案内する案内表示部４０に合わせた透光部６０と非透光部６１とが設けられている。透光部６０は、センサシート２３のうち、上面視で発光部５０と重なる部分に設けられている。透光部６０は例えば電極を上下方向に貫くように形成されている。電極のうち、透光部６０が形成されていない部分が非透光部６１となっている。
図４（ｂ）に示すように、発光部５０は電極よりも表面から離間した位置に配置されている。
【００３２】
そして、透光部６０は、発光部５０の発光を透過させることにより、表面に案内光を表示する。透光部６０が透過した発光部５０からの発光は、センサシート２３および表層２０を透過して表面から視認することができる。
なお、透光部６０は電極を上下方向に貫いていなくてもよい。透光部６０の厚みが非透光部６１よりも薄くされていることで、透光部６０が発光部５０の発光を透過しやすくしてもよい。
また、透光性又は半透光性を有するセンサシート２３を用い、電極２１のうち非透光部６１には非透光性を有する導電性材料をプリントし、透光部６０には非透光性を有する導電性材料をプリントしないことで、発光部５０の発光を透過しやすくしてもよい。
【００３３】
センサ基板３２および発光部５０は、対応して複数設けられている。すなわち、複数の貫通孔２２Ｃ内に、発光部５０が各別に配置されている。制御部１５は、一のセンサ９で使用者の操作が検出されると、センサ基板３２と対応する発光部５０を発光させる。
センサ基板３２と対応する発光部５０とは、例えばセンサ基板３２と同じ貫通孔２２Ｃ内に配置された発光部５０を指す。
【００３４】
図４（ａ）に示すように、電極２１には、透光部６０および非透光部６１が表示する案内表示部４０として、複数の記号が形成されている。図示の例では、案内表示部４０として、プラス記号、ドット記号、およびマイナス記号が形成されている。
複数の電極２１それぞれに形成された案内表示部４０の形状は互いに異なっている。また、発光部５０は、案内表示部４０の形状に沿って形成された透光部６０と互いに重なるように配置されているので、各センサ基板に配置された発光部５０の位置、および数量は互いに異なっている。
【００３５】
電極２１のうち、ドット記号が形成された透光部６０の周囲が初期操作部４１となっている。また、電極２１のうち、プラス記号が形成された透光部６０の周囲が上昇操作部４２、マイナス記号が形成された透光部６０の周囲が下降操作部４３となっている。
【００３６】
次に、図５を参照して、案内表示部４０の表示態様について説明する。図５は、示す案内表示部４０による表示態様のうち、（ａ）操作開始時、（ｂ）操作選択時、（ｃ）昇降操作時、（ｄ）下降操作時を示す図である。
図５（ａ）に示すように、操作前の状態で、初期操作部４１が点灯しているものとする。
【００３７】
まず、使用者は、初期操作部４１をタッチする。これにより、図５（ｂ）に示すように、初期操作部４１が消灯するとともに、上昇操作部４２および下降操作部４３が点灯する。この際、使用者はこれから後に天板２を上昇させるか、下降させるかを選択する。すなわち、案内表示部４０により、使用者の次の操作を案内している状態となっている。
【００３８】
そして天板２を上昇させる場合には、上昇操作部４２をタッチする。これにより、図５（ｃ）に示すように、下降操作部４３が消灯する。そして天板２が上昇する。
また、天板２を下降させる場合には、下降操作部４３をタッチする。これにより、図５（ｄ）に示すように、上昇操作部４２が消灯する。そして天板２が下降する。
なお、このような態様に限られず、例えばタッチした上昇操作部４２、又は下降操作部４３が、タッチしている間において、点滅するようにしてもよい。
【００３９】
次に、本実施形態に係る天板付什器１の動作について説明する。
使用者が天板付什器１の天板２を昇降させる際には、天板２の上面において、前述した操作を行う。電極２１が検出した操作内容を、接点部３３を介してセンサ基板３２が認識すると、センサ基板３２は、制御部１５に操作内容を伝達する。そして、制御部１５は昇降駆動部１０に指令値を入力する。昇降駆動部１０が、入力された指令値に基づいて駆動することで、天板付什器１の天板２が昇降、又は下降する。
【００４０】
以上説明したように、本実施形態に係る天板２によれば、使用者の操作を検出する電極２１が、使用者の操作を案内する案内表示部４０に合わせた透光部６０と非透光部６１とを備えている。
そして、透光部６０が、発光部５０の発光を透過させることにより、表面に案内光を表示するので、このように表示された案内光に従って、使用者が操作を行うことが可能になり、使用者が所望の操作を容易に行うことができる。
【００４１】
また、表層２０の裏面に基材２２Ａが配置されているので、基材２２Ａにより表層２０を支持することができる。また、基材２２Ａに形成された貫通孔２２Ｃ内に発光部５０が配置されているので、簡易な構成で発光部５０を表層２０の裏側に配置することができる。
また、電極２１がセンサシート２３に設けられているので、センサシート２３を交換することで、容易に電極２１の位置や大きさを変更することができる。
【００４２】
次に図６を参照して電極２１における案内表示部４０の第１変形例について説明する。図６（ａ）は、電極２１の案内表示部４０、図６（ｂ）〜（ｋ）は、案内表示部の第１変形例群を列挙する図である。この図では、案内表示部４０のうち、発光する部分に黒色を付している。
図６に複数列挙するように、案内表示部４０は任意に変更することができる。例えば前述したプラス記号とマイナス記号に対して、図６（ｂ）に示すように、発光する部分を中抜きにしてもよい。
【００４３】
また、図６（ｃ）から図６（ｆ）に示すように、プラス記号とマイナス記号に代えて、上昇と下降を意味する三角記号や矢印記号に変更してもよいし、図６（ｇ）から図６（ｈ）に示すように、文字に変更してもよい。また、第６（ｋ）に示すように、上昇と下降とを表意する図形に変更してもよい。
【００４４】
次に、図７を参照して電極２１における案内表示部４０の第２変形例について説明する。図７は、案内表示部の第２変形例群を示す図である。この図では、案内表示部４０のうち、発光する部分に黒色を付している。
図７に示すように、第２変形例に係る電極２１では、案内表示部４０が初期操作部４１を備えていない。この場合には、前述した表示態様において、初期操作部４１の表示が省略され、操作前の状態では、上昇操作部４２と下降操作部４３とが、それぞれ表示された状態となる。
【００４５】
次に、図８から図１０を参照して、電極の変形性について説明する。図８は、電極２１における他の配置状態を示す図である。図９は、図６に示した案内表示部４０の他の配置状態を示す図である。図１０は、図７に示した案内表示部４０の他の配置状態を示す図である。
図８に示すように、電極２１は前後方向に並べて配置してもよい。このような場合には、図９および図１０に示すように、案内表示部４０を前後方向に並べて配置することができる。
【００４６】
次に、図１１から図１３、および図２１を参照して、電極２１の配置パターンおよび変形例について説明する。図１１は、天板付什器１において、電極２１の位置を例示する図である。図１２は、天板付什器１において、電極２１を複数設けた状態を示す図である。図１３は、天板付什器において、電極の姿勢を変更した状態を示す図である。図１４は、電極の変形例を示す図である。図２１は、図１１に示す天板付什器における（ａ）上面図、（ｂ）正面図、（ｃ）側面図、（ｄ）下面図である。
【００４７】
図１１に示すように、電極２１の位置は任意に変更することができる。また、図１２に示すように、電極２１を複数配置してもよいし、図１３に示すように、電極２１を前後方向Ｘおよび左右方向Ｙに対して交差する向きに並べて配置してもよい。
また、図１４に示すように、電極２１に透光部６０を設けることなく、案内表示部４０が形成された案内シート６５を天板２の表面に貼付してもよい。この場合には、案内シート６５と上下方向に重なる位置に、電極２１が設けられている。また、案内表示部４０を天板２の上面に、直接印字してもよい。
【００４８】
（第２実施形態）
次に、図１５および図１６を参照して、本発明の第２実施形態について説明する。図１５は、本実施形態に係る天板２Ｂの一部における分解斜視図である。図１６は、天板２Ｂの（ａ）一部平面図、（ｂ）Ｂ−Ｂ線矢視断面図である。
なお、以下の各実施形態において、第１実施形態と同一の構成については同一の符号を付してその説明は省略し、異なる点についてのみ説明する。
【００４９】
図１５に示すように、本実施形態に係る天板２Ｂでは、表層２０が複数のコアシート２０Ｂを備えておらず、表面シート２０Ａのみにより構成されている。このため、センサシート２３は、表面シート２０Ａと基材２２Ａとの間に配置されている。このような構成を採用することで、表層２０が厚み方向にかさ張るのを抑え、発光部５０からの発光を確実に表面に透過させて、使用者に視認しやすくすることができる。
【００５０】
（第３実施形態）
次に、図１７および図１８を参照して、本発明の第３実施形態について説明する。図１７は、本実施形態に係る天板２Ｃの一部における分解斜視図である。図１８は、天板２Ｃの（ａ）一部平面図、（ｂ）Ｃ−Ｃ線矢視断面図である。
なお、以下の各実施形態において、第１実施形態と同一の構成については同一の符号を付してその説明は省略し、異なる点についてのみ説明する。
【００５１】
図１７に示すように、本実施形態に係る天板２Ｃは、センサシート２３を備えていない。そして、電極２１はセンサ基板３２に各別に配置され、センサ９を構成している。本実施形態にかかる電極接続部３０は、接点部３３を備えておらず、電極２１がセンサ基板３２と例えば、はんだ付け等により電気的に接続されている。電極２１は上面視で円形状をなし、センサ基板３２と同形同大をなしている。
電極２１に形成された透光部６０の内側に、発光部５０が各別に配置されている。このような構成を採用することで、部品点数を削減し、安価な構成とすることができる。
なお、電極２１の形状は円形状に限られず、任意の形状とすることができる。
【００５２】
（第４実施形態）
次に、図１９および図２０を参照して、本発明の第４実施形態について説明する。図１９は、本実施形態に係る天板２Ｄの一部における分解斜視図である。図２０は、天板２Ｄの（ａ）一部平面図、（ｂ）Ｄ−Ｄ線矢視断面図である。
なお、以下の各実施形態において、第３実施形態と同一の構成については同一の符号を付してその説明は省略し、異なる点についてのみ説明する。
【００５３】
図２０に示すように、本実施形態に係る天板２Ｄでは、センサ基板３２に発光部５０が収容される収容溝３２Ａが形成されている。収容溝３２Ａは、上面視で電極の透光部６０と同等の形状をなしている。
このため、収容溝３２Ａに配置された発光部５０が発光すると、その光が透光部６０および表面シート２０Ａを透過して、使用者が案内表示部４０の表示を視認することができる。
このような構成を採用することで、センサ基板３２、電極２１、および発光部５０が上下方向にかさ張るのを抑えることができる。
なお、発光部５０はセンサ基板３２の下面に接続してもよい。
【００５４】
なお、本発明の技術的範囲は前記実施形態に限定されるものではなく、本発明の趣旨を逸脱しない範囲において種々の変更を加えることが可能である。
例えば、上記実施形態においては、発光部５０が基材に形成された貫通孔２２Ｃ内に配置されている構成を示したが、このような態様に限られない。発光部５０は貫通孔２２Ｃの外側に配置されてもよい。
【００５５】
また、上記第１実施形態および第２実施形態においては、センサシート２３が上面視で基材２２Ａと同等の形状、および大きさをなしている構成を示したが、このような態様に限られない。例えばセンサシート２３は、上面視で基材２２Ａに形成された貫通孔２２Ｃの周囲のみを覆うような形状、および大きさであってもよい。
なお、発光部５０はセンサ基板３２に複数配置されなくてもよく、例えば広配光のＬＥＤ等をセンサ基板３２の中央に１つ配置し、透光部６０全体が発光するようにしてもよい。
【００５６】
また、上記各実施形態においては、表面構成部材としての天板２、昇降駆動部１０、および制御部１５により構成された昇降機構を備えた天板付什器１を例に挙げて説明したが、このような態様に限られない。表面構成部材としては、例えば壁部材や仕切り部材等であってもよい。
このような場合には、使用者が行う操作として、天板２の昇降に代えて、例えば照明器具の点灯、消灯、または照度の調整を行ってもよいし、カーテンやブラインド等の遮光部材の開閉を行ってもよい。また、ドアやシャッターの開閉や、スクリーンの昇降等をおこなってもよい。
【００５７】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００５８】
１  天板付什器
２、２Ｂ、２Ｃ、２Ｄ  天板（表面構成部材）
９  センサ
１５  制御部
２０  表層（表面部材）
２１  電極
２２Ａ  基材
２３  センサシート
２２Ｃ  貫通孔
５０  発光部
６０  透光部
６１  非透光部
【図１】
2019160431.tif 000003
【図２】
2019160431.tif 000004
【図３】
2019160431.tif 000005
【図４】
2019160431.tif 000006
【図５】
2019160431.tif 000007
【図６】
2019160431.tif 000008
【図７】
2019160431.tif 000009
【図８】
2019160431.tif 000010
【図９】
2019160431.tif 000011
【図１０】
2019160431.tif 000012
【図１１】
2019160431.tif 000013
【図１２】
2019160431.tif 000014
【図１３】
2019160431.tif 000015
【図１４】
2019160431.tif 000016
【図１５】
2019160431.tif 000017
【図１６】
2019160431.tif 000018
【図１７】
2019160431.tif 000019
【図１８】
2019160431.tif 000020
【図１９】
2019160431.tif 000021
【図２０】
2019160431.tif 000022
【図２１】
2019160431.tif 000023